(57)【要約】      （修正有）【課題】前後左右のいずれの方向に対しても十分な脱落防止効果を発揮することができ、特定の用途だけではなく多くの物品に簡単に装着することができる多目的ストッパを提供する。【解決手段】略矩形状シート部材１の一方の面に弾性体からなる滑り止め用の複数個の三角柱突起３が間隔を置いて突設されている。複数個の三角柱突起のうち略半数は、その三角断面の１つの頂点を略矩形状シート部材の長辺方向と略平行にして一方の短辺部に向けると共に、その対辺を略矩形状シート部材の短辺方向と略平行にして配設されている。また、複数個の三角柱突起のうち残る略半数は、その三角断面の１つの頂点を略矩形状シート部材の長辺方向と略平行にして他方の短辺部に向けると共に、その対辺を略矩形状シート部材の短辺方向と略平行にして配設されている。【選択図】図１
0003226012.tif 000002
【実用新案登録請求の範囲】
【請求項１】
略矩形状シート部材の一方の面に弾性体からなる滑り止め用の複数個の三角柱突起が間隔を置いて突設され、
前記複数個の三角柱突起のうち略半数は、その三角断面の１つの頂点を前記略矩形状シート部材の長辺方向と略平行にして一方の短辺部に向けると共に、当該頂点の対辺を当該略矩形状シート部材の短辺方向と略平行にして配設され、
前記複数個の三角柱突起のうち残る略半数は、その三角断面の１つの頂点を前記略矩形状シート部材の長辺方向と略平行にして他方の短辺部に向けると共に、当該頂点の対辺を当該略矩形状シート部材の短辺方向と略平行にして配設されていることを特徴とする多目的ストッパ。
【請求項２】
前記三角柱突起の三角断面は、正三角形又は二等辺三角形であって、
正三角形である場合には、その１辺が、
二等辺三角形である場合には、その底辺が、
前記略矩形状シート部材の短辺方向と略平行にして配設されていることを特徴とする請求項１に記載の多目的ストッパ。
【請求項３】
前記略矩形状シート部材は、一方の短辺部に当該略矩形状シート部材の外部方向に突出した凸部を有し、他方の短辺部に当該略矩形状シート部材の内部方向に突入した凹部を有し、
異なる２つの略矩形状シート部材において、
一方の略矩形状シート部材の前記凸部と、他方の略矩形状シート部材の前記凹部とが、互いの外辺部で当接可能な形状を有していることを特徴とする請求項１又は２に記載の多目的ストッパ。
【請求項４】
前記略矩形状シート部材及びこれに突設された前記複数個の三角柱突起は、シリコーン樹脂を一体成型してなり、
当該シリコーン樹脂の硬度は、２０度〜５０度の範囲内にあることを特徴とする請求項１〜３のいずれか１つに記載の多目的ストッパ。
【考案の詳細な説明】
【技術分野】
【０００１】
本考案は、ショルダーバッグなどの各種バッグの肩掛け用バンドの滑り止めや、ステッキ・椅子・シューズなどのあらゆる物品・部分の滑り止めに用いることのできる多目的ストッパに関するものである。
【背景技術】
【０００２】
各種バッグの肩掛用バンドなどに用いられる滑り止めには、合成ゴムやポリウレタン製の肩当て具（以下、肩当てに限らず「ストッパ」という）を取り付けたものがある。これらのストッパは、衣服等との摩擦抵抗が肩掛用バンドの部分より大きな素材を使用して肩などからの脱落を防止する。
【０００３】
例えば、下記特許文献１には、ランドセルの肩ベルト用環状帯体が提案されている。この肩ベルト用環状帯体は、合成繊維が立体的に網状に絡み合った弾力性部材からなるクッション材を使用する。このクッション材は、網状であるので通気性もよく、ランドセル用であり両肩にかけることから脱落性は低い。しかし、この素材を片側の肩のみにかけるショルダー用のストッパとして使用した場合には、容易に脱落してしまうという問題があった。
【０００４】
また、下記特許文献２には、ショルダーバッグ等に使用するショルダーベルトが提案されている。このショルダーベルトは、ベルト本体の中央部に間隔をおいて突出体を複数個連設したものであり、ショルダーベルト自体がストッパとなっている。また、このショルダーベルトの突出体は、ゴム又は合成樹脂等を長方形や円形に成形したものである。
【先行技術文献】
【特許文献】
【０００５】
【特許文献１】特開２００２−２８２０３０号公報
【特許文献２】実開昭６１−０２５８２４号公報
【考案の概要】
【考案が解決しようとする課題】
【０００６】
上記特許文献２のショルダーベルトは、突出体の効果で脱落をある程度防止できるものである。しかし、前後左右のいずれの方向に対しても十分な効果を発揮できるというものではなく、より効果的なストッパが求められていた。また、ショルダーベルト自体がストッパとなっており、ショルダーバッグ以外にも、またバッグ以外の用途にも使用できる多目的なストッパが求められていた。
【０００７】
そこで、本考案は、以上のことに対処して、前後左右のいずれの方向に対しても十分な脱落防止効果を発揮することができ、特定の用途だけではなく多くの物品に簡単に装着することができる多目的ストッパを提供することを目的とする。
【課題を解決するための手段】
【０００８】
上記課題の解決にあたり、本考案者は、鋭意研究の結果、滑り止め用の突起の材質と形状に着目し、また、ストッパ自体の外観形状にも工夫することにより、上記目的を達成できることを見出し本考案の完成に至った。
【０００９】
即ち、本考案に係る多目的ストッパ（１０）は、請求項１の記載によると、
略矩形状シート部材（１）の一方の面に弾性体からなる滑り止め用の複数個の三角柱突起（３）が間隔を置いて突設され、
前記複数個の三角柱突起のうち略半数は、その三角断面の１つの頂点（３ａ-１，３ｂ-１）を前記略矩形状シート部材の長辺方向と略平行にして一方の短辺部（６）に向けると共に、当該頂点の対辺（３ａ-２，３ｂ-２）を当該略矩形状シート部材の短辺方向と略平行にして配設され、
前記複数個の三角柱突起のうち残る略半数は、その三角断面の１つの頂点（３ｃ-１，３ｄ-１）を前記略矩形状シート部材の長辺方向と略平行にして他方の短辺部に向けると共に、当該頂点の対辺（３ｃ-２，３ｄ-２）を当該略矩形状シート部材の短辺方向と略平行にして配設されていることを特徴とする。
【００１０】
また、本考案は、請求項２の記載によると、請求項１に記載の多目的ストッパであって、
前記三角柱突起の三角断面は、正三角形又は二等辺三角形であって、
正三角形である場合には、その１辺が、
二等辺三角形である場合には、その底辺が、
前記略矩形状シート部材の短辺方向と略平行にして配設されていることを特徴とする。
【００１１】
また、本考案は、請求項３の記載によると、請求項１又は２に記載の多目的ストッパであって、
前記略矩形状シート部材は、一方の短辺部に当該略矩形状シート部材の外部方向に突出した凸部（６）を有し、他方の短辺部に当該略矩形状シート部材の内部方向に突入した凹部（７）を有し、
異なる２つの略矩形状シート部材において、
一方の略矩形状シート部材の前記凸部と、他方の略矩形状シート部材の前記凹部とが、互いの外辺部で当接可能な形状を有していることを特徴とする。
【００１２】
また、本考案は、請求項４の記載によると、請求項１〜３のいずれか１つに記載の多目的ストッパであって、
前記略矩形状シート部材及びこれに突設された前記複数個の三角柱突起は、シリコーン樹脂を一体成型してなり、
当該シリコーン樹脂の硬度は、２０度〜５０度の範囲内にあることを特徴とする。
【００１３】
なお、上記各手段の括弧内の符号は、後述する実施形態に記載の具体的手段との対応関係を示す。
【考案の効果】
【００１４】
上記構成によれば、本考案に係る多目的ストッパは、略矩形状シート部材の一方の面に弾性体からなる滑り止め用の複数個の三角柱突起が間隔を置いて突設されている。これら複数個の三角柱突起のうち略半数は、その三角断面の１つの頂点を略矩形状シート部材の長辺方向と略平行にして一方の短辺部に向けると共に、当該頂点の対辺を当該略矩形状シート部材の短辺方向と略平行にして配設されている。
【００１５】
また、複数個の三角柱突起のうち残る略半数は、その三角断面の１つの頂点を略矩形状シート部材の長辺方向と略平行にして他方の短辺部に向けると共に、当該頂点の対辺を当該略矩形状シート部材の短辺方向と略平行にして配設されている。このことにより、前後左右のいずれの方向に対しても十分な脱落防止効果を発揮することができる。また、略矩形状シート部材の形状と大きさを適宜選定することにより、特定の用途だけではなく多くの物品に簡単に装着することができる。
【００１６】
また、上記構成によれば、三角柱突起の三角断面は、正三角形又は二等辺三角形であることが好ましい。三角柱突起の三角断面が正三角形である場合には、その１辺が略矩形状シート部材の短辺方向と略平行にして配設されることが好ましい。また、三角柱突起の三角断面が二等辺三角形である場合には、その底辺が略矩形状シート部材の短辺方向と略平行にして配設されていることが好ましい。このことにより、上記作用効果をより具体的に且つ効果的に発揮することができる。
【００１７】
また、上記構成によれば、略矩形状シート部材は、一方の短辺部に当該略矩形状シート部材の外部方向に突出した凸部を有してもよい。また、他方の短辺部に当該略矩形状シート部材の内部方向に突入した凹部を有してもよい。このように凸部と凹部とを有することで、異なる２つの略矩形状シート部材において、一方の略矩形状シート部材の凸部と、他方の略矩形状シート部材の凹部とが、互いの外辺部で当接可能な形状を有することが好ましい。このことにより、複数の多目的ストッパを併用して使用する場合に、互いの凸部と凹部とを組み合わせることで、上記作用効果をより具体的に且つ効果的に発揮することができる。
【００１８】
また、上記構成によれば、略矩形状シート部材及びこれに突設された複数個の三角柱突起は、シリコーン樹脂を一体成型したものであってもよい。その場合には、シリコーン樹脂の硬度は、２０度〜５０度の範囲内にあることが好ましい。このことにより、上記作用効果をより具体的に且つ効果的に発揮することができる。
【図面の簡単な説明】
【００１９】
【図１】本考案に係る多目的ストッパの一実施形態を示す斜視図である。
【図２】図１の多目的ストッパの平面図である。
【図３】図１の多目的ストッパを複数併用する場合の状態を示す平面図である。
【図４】図１の多目的ストッパの三角柱突起を上方から見た概略平面図であって、三角断面の各頂点の作用効果を示す図である。
【考案を実施するための形態】
【００２０】
以下、本考案に係る多目的ストッパを図面により具体的に説明する。なお、本考案は、下記の実施形態にのみ限定されるものではない。
【００２１】
図１は、本考案に係る多目的ストッパの一実施形態を示す斜視図である。また、図２は、多目的ストッパの平面図である。図１及び図２において、多目的ストッパ１０は、略矩形状のシート部材１（以下「シート部材１」という）を基板として構成されている。シート部材１の表面２には、断面が正三角形をした複数の三角柱突起３が突設されている。三角柱突起３の形状、配置及び効果については後述する。なお、シート部材１の裏面４（図示せず）の形状は、特に限定するものではなく、平滑であってもよく多少の凹凸があってもよい。
【００２２】
また、シート部材１は、平坦なシート状であって、その外周部５が縁取りされて直線状の長辺と円弧状の短辺とから構成されている。なお、シート部材１の大きさは、特に限定するものではなく、使用目的、使用部位の形状・大きさにより適宜選択すればよい。なお、本実施形態においては、８５ｍｍ×２５ｍｍのものを使用した。シート部材１の一方の短辺部は外部方向に突出した円弧状凸部６となり、他方の短辺部はシート部材１の内部方向に突入した円弧状凹部７を形成している。図３は、多目的ストッパを複数併用する場合の状態を示す平面図である。図３においては、３つの多目的ストッパ１０ａ、１０ｂ、１０ｃをその長辺方向に縦に組み合わせている。
【００２３】
図３においては、多目的ストッパ１０ａの円弧状凹部７ａと多目的ストッパ１０ｂの円弧状凸部６ｂとが同径の円弧を形成して当接することができる。また、多目的ストッパ１０ｂの円弧状凹部７ｂと多目的ストッパ１０ｃの円弧状凸部６ｃとが同径の円弧を形成して当接することができる。このように、複数の多目的ストッパの凸部と凹部とを互いに組み合わせることができるので、装着した部位の前後左右のいずれの方向に対しても十分な脱落防止効果を発揮することができる。また、多くの物品に様々な面積で装着することができる。
【００２４】
次に、三角柱突起３の形状、配置及び効果について説明する。図２において、複数の三角柱突起３は、シート部材１を基板として、その表面２に突設されている。各三角柱突起３は三角形断面を有しており、本実施形態においては正三角形の断面を有している。なお、三角柱突起３の三角形断面の形状は、特に限定するものではないが、正三角形又は二等辺三角形であることが好ましい。また、シート部材１の表面から突設する三角柱突起３の高さは、特に限定するものではないが、０．２ｍｍ〜５ｍｍ、好ましくは、０．５ｍｍ〜３ｍｍ程度あればよい。
【００２５】
なお、複数の三角柱突起３は、５つずつがシート部材１の短辺方向に同一方向を向いて（三角形の頂点の方向を合わせて）グループを形成して横に並んでいる。例えば、図２のグループ３Ｘでは、５つの三角柱突起３が各三角断面の１つの頂点をシート部材１の長辺方向（図示左右方向）と略平行にして一方の短辺部（円弧状凸部６）に向けると共に、当該頂点の対辺をシート部材１の短辺方向（図示上下方向）と略平行にして配設されている。
【００２６】
また、図２のグループ３Ｙでは、５つの三角柱突起３が各三角断面の１つの頂点をシート部材１の長辺方向（図示左右方向）と略平行にして他方の短辺部（円弧状凹部７）に向けると共に、当該頂点の対辺をシート部材１の短辺方向（図示上下方向）と略平行にして配設されている。
【００２７】
また、図２においては、グループ３Ｘと同方向の各グループと、グループ３Ｙと同方向の各グループとが、一方の短辺部（円弧状凸部６）から他方の短辺部（円弧状凹部７）まで交互に並んでいる。このように、本実施形態においては、複数の三角柱突起３の略半数がその三角断面の１つの頂点を一方の短辺部（円弧状凸部６）に向け、残る略半数がその三角断面の１つの頂点を他方の短辺部（円弧状凹部７）に向けて配設されている。
【００２８】
ここで、正三角形の断面を有する複数の三角柱突起３が、半数ずつ相反する方向を向いていることの効果について説明する。図４は、多目的ストッパの三角柱突起を上方から見た概略平面図であって、三角断面の各頂点の作用効果を示す図である。図４においては、簡略のため複数の三角柱突起３のうち４つの三角柱突起３ａ、３ｂ、３ｃ、３ｄのみを記載して説明する。
【００２９】
図４において、２つの三角柱突起３ａ、３ｂは、それぞれの三角断面の１つの頂点３ａ-１、３ｂ-１を円弧状凸部６の方向（図示左方向）に向けると共に、これらの頂点の対辺３ａ-２、３ｂ-２をシート部材１の短辺方向（図示上下方向）と略平行にして配設されている。一方、他の２つの三角柱突起３ｃ、３ｄは、それぞれの三角断面の１つの頂点３ｃ-１、３ｄ-１を円弧状凹部７の方向（図示右方向）に向けると共に、これらの頂点の対辺３ａ-２、３ｂ-２をシート部材１の短辺方向（図示上下方向）と略平行にして配設されている。
【００３０】
この状態において、４つの三角柱突起３ａ、３ｂ、３ｃ、３ｄは、それぞれの３つの鋭角な頂点を異なる３方向に等角（この場合は１２０°）に向けている。また、三角柱突起３ａ、３ｂと三角柱突起３ｃ、３ｄとが、相異なる方向（この場合は１８０°）を向いていることから、４つの三角柱突起３ａ、３ｂ、３ｃ、３ｄは、全ての鋭角な頂点を異なる６方向に等角（この場合は６０°）に且つ均等に向けている。
【００３１】
なお、図４においては、簡略のため４つの三角柱突起で説明したが、上述のように、図２の複数の三角柱突起３は半数ずつ相反する方向を向いている。つまり、多目的ストッパ１０の全ての三角柱突起３は、全ての鋭角な頂点を異なる６方向に等角（この場合は６０°）に且つ均等に向けている。このことにより、多目的ストッパ１０は、上下左右全方向に対して三角断面の鋭角な頂点による滑り止めの効果を発揮することができる。
【００３２】
次に、多目的ストッパ１０の材質について説明する。本実施形態においては、多目的ストッパ１０の材質として硬度３０度のシリコーン樹脂を使用し、シート部材１及び複数の三角柱突起３を一体成型で作製した。なお、多目的ストッパ１０の材質は、特に限定するものではないが、ある程度の弾性と表面摩擦抵抗を有する材質が好ましい。
【００３３】
使用できる材質としては、天然ゴム、合成ゴム、又は他の合成樹脂などを使用することができる。これらの材質であれば、金型を使用して一体成型することができる。また、熱可塑性樹脂であってもよく、熱硬化性樹脂であってもよい。例えば、熱可塑性樹脂としては、ポリエチレン、ポリプロピレン、ポリスチレン、塩化ビニル樹脂、ポリエステル樹脂、ナイロン樹脂、ＰＭＭＡ樹脂、ＡＢＳ樹脂、ＡＢ樹脂などが挙げられる。また、熱硬化性樹脂としては、シリコーン樹脂、ポリウレタン樹脂、エポキシ樹脂などが挙げられる。
【００３４】
また、多目的ストッパ１０の材質の硬度は、特に限定するものではないが、２０度〜５０度の範囲内にあることが好ましい。例えば、５度〜１０度であれば人肌に近く柔らかすぎ、６０度〜７０度であれば車のタイヤのように硬すぎる。やはり、３０度〜４０度程度の消しゴムの硬さ、或いは、その前後が好ましい。
【００３５】
以上説明したように、本考案によれば、前後左右のいずれの方向に対しても十分な脱落防止効果を発揮することができ、特定の用途だけではなく多くの物品に簡単に装着することができる多目的ストッパを提供することができる。
【産業上の利用可能性】
【００３６】
本考案に係る多目的ストッパは、ショルダーバッグなどの各種バッグの肩掛け用バンドの滑り止めに使用することは勿論、その他のあらゆる物品・部分の滑り止めに使用することができる。例えば、ステッキや傘のグリップ部分、椅子の手置き部分、車椅子の手置き部分や介護者用ハンドル部分、スポーツシューズなどの舌（タン）部分の裏側、ズボンのポケット部分などにも使用することができる。
【００３７】
なお、本考案の実施にあたり、上記実施形態に限らず次のような種々の変形例が挙げられる。
（１）上記実施形態においては、三角柱突起の三角断面を正三角形としたが、これに限定するものではなく、二等辺三角形又は他の形状の三角形であってもよい。
（２）上記実施形態においては、多目的ストッパのシート部材と三角柱突起とを硬度３０度のシリコーン樹脂で一体成型したが、これに限定するものではなく、他の硬度のシリコーン樹脂、又は、天然ゴム・他の合成ゴム・他の合成樹脂などで成形してもよい。また、シート部材と三角柱突起とを別々に成形し、シート部材に複数の三角柱突起を埋め込むようにしてもよい。
（３）上記実施形態においては、シート部材の両短辺部の形状を円弧状の凸部と凹部とにしたが、これに限定するものではなく、三角形状・多角形状など他の形状の凸部と凹部とにしてもよい。また、凸部と凹部とを設けず、シート部材自体を長方形・正方形・菱形など他の形状にしてもよい。
【符号の説明】
【００３８】
１０，１０ａ，１０ｂ，１０ｃ…多目的ストッパ、
１…シート部材、２…表面、３，３ａ，３ｂ，３ｃ，３ｄ…三角柱突起、
３ａ-１，３ｂ-１，３ｃ-１，３ｄ-１…頂点、
３ａ-２，３ｂ-２，３ｃ-２，３ｄ-２…対辺、
３Ｘ，３Ｙ…グループ、４…裏面、５…外周部、
６，６ａ，６ｂ，６ｃ…円弧状凸部、７，７ａ，７ｂ，７ｃ…円弧状凹部。
【図１】
0003226012.tif 000003
【図２】
0003226012.tif 000004
【図３】
0003226012.tif 000005
【図４】
0003226012.tif 000006